(57)【要約】【課題】  軽量化を図るとともに側面方向の外力のみならず平面方向の外力に対しても液晶本体を保護することのできる液晶表示装置を提供する。【解決手段】  本発明にかかる液晶表示装置では、略板状の液晶本体２０を収納する保持部材３０に、液晶本体２０に沿って金属部材３１が設けられているので、樹脂により保護を強くする場合に比べて、軽量化を図るとともにより強い衝撃に対しても液晶本体を保護できる。【選択図】  図１
2006011206.tif 000002
【特許請求の範囲】
【請求項１】
略板状の液晶本体と、前記液晶本体を収容する保持部材とを有する液晶表示装置であって、
前記液晶本体に沿う金属部材が前記保持部材の少なくとも一部に設けられている液晶表示装置。
【請求項２】
前記保持部材に板状の金属部材が前記液晶本体の表示面と略平行に配置されている請求項１記載の液晶表示装置。
【請求項３】
前記金属部材が前記保持部材にインサート成型されている請求項１または請求項２記載の液晶表示装置。
【請求項４】
前記液晶本体の端面から引き出された可撓性基板を挿通可能な挿通孔が前記保持部材の壁部に設けられている請求項１ないし請求項３のいずれかに記載の液晶表示装置。
【請求項５】
前記金属部材がステンレス鋼、アルミニウム合金、チタン合金、マグネシウム合金等の軽金属である請求項１から請求項４のいずれかに記載の液晶表示装置。
【発明の詳細な説明】
【技術分野】
【０００１】
本発明は、例えば携帯端末等に使用できる液晶表示装置に関するものである。
【背景技術】
【０００２】
従来の液晶表示装置１００では、図５に示すように、アッパーカバー１０１とロアカバー１０２との間にＨ字型断面を持つフレーム１０３を介在させることによって、衝撃力による筐体の変形を抑制するようにしている。このフレーム１０３の内部には、矩形枠状の緩衝体１０４を介してタッチパネル１０５と液晶ディスプレイパネル１０６が収納されている。これらタッチパネル１０５および液晶ディスプレイパネル１０６は、緩衝体１０４の内面に設けられている凹部に取り付けられており、外部からの衝撃力に対して保護している。また、回路基板１０７も同様に緩衝体１０４を介してフレーム１０３に取り付けられており、外部からの衝撃力に対して保護するようになっている（例えば特許文献１参照）。
【特許文献１】特開２００３−５１６８１号公報（図１）
【発明の開示】
【発明が解決しようとする課題】
【０００３】
しかしながら、上述したような液晶表示装置１００においては、緩衝体１０４により液晶ディスプレイパネル１０６等を保護しているが、衝撃が強い場合には保護に限界がある。また、一般に側面方向からの外力には緩衝体１０４が有効に作用して保護するが、液晶ディスプレイパネル１０６等の面に直交する方向の外力に対して弱く、小さい外力でも破壊してしまうという問題があった。
【０００４】
本発明は、従来の問題を解決するためになされたもので、薄型化を図るとともに側面方向の外力のみならず平面方向の外力に対しても液晶本体を保護することのできる液晶表示装置を提供することを目的とする。
【課題を解決するための手段】
【０００５】
本発明の液晶表示装置は、略板状の液晶本体と、前記液晶本体を収容する保持部材とを有する液晶表示装置であって、前記液晶本体に沿う金属部材が前記保持部材の少なくとも一部に設けられている構成を有している。
【０００６】
この構成により、液晶表示装置では、略板状の液晶本体を収納する保持部材に、液晶本体に沿って金属部材が設けられているので、樹脂により保護を強くする場合に比べて、薄型化を図ることができるとともにより強い衝撃に対しても液晶本体を保護できる。
【０００７】
また、本発明にかかる液晶表示装置は、前記保持部材に前記液晶本体の表示面と略平行に板状の金属部材が配置されている構成を有している。
【０００８】
この構成により、保持部材に前記液晶本体の表示面と略平行に金属部材が設けられているので、万が一保持部材が面方向に変形したり破損した場合に液晶本体の面に作用する衝撃から、液晶本体を保護できる。
【０００９】
さらに、本発明にかかる液晶表示装置は、前記金属部材が前記保持部材にインサート成型されている構成を有している。
【００１０】
この構成により、金属部材は保持部材にインサート成型されているので、部品点数を減少することができ、組立工数の削減を図ることができる。
【００１１】
さらに、本発明にかかる液晶表示装置は、前記液晶本体の端面から引き出された可撓性基板を挿通可能な挿通孔が前記保持部材の壁部に設けられている構成を有している。
【００１２】
この構成により、保持部材の壁部に挿通孔を設けたので、液晶本体の端面から引き出されている可撓性基板を保持部材から容易に外部に引き出すことができる。
【発明の効果】
【００１３】
本発明は、略板状の液晶本体を収納する保持部材に、液晶本体に沿って金属部材を設けることにより、樹脂により保護を強くする場合に比べて、薄型化を図るとともにより強い衝撃に対しても液晶本体を保護できるという効果を有する液晶表示装置を提供できるものである。
【発明を実施するための最良の形態】
【００１４】
以下、本発明の実施形態の液晶表示装置について、図面を用いて説明する。
図１は本発明の実施形態にかかる液晶表示装置を示す断面図、図２は分解斜視図である。
図１および図２に示すように、液晶表示装置１０は、略板状の液晶本体２０と、この液晶本体２０を収容する保持部材３０とを有しており、液晶本体２０に沿う金属部材３１が保持部材３０の少なくとも一部に設けられている。
【００１５】
図２に示すように、液晶本体２０はフレーム２１に収納され、例えば両面テープで固定されて液晶ユニット２２を構成しており、液晶本体２０の表示面２０ｂは透明な保護パネル２３が取り付けられている。なお、フレーム２１の下面には、位置決め用の突起２１ａが複数個設けられている。
【００１６】
また、金属部材３１は例えばステンレス鋼からなり、前述のように保持部材３０の少なくとも一部に設けられていれば効果があるが、液晶本体２０と同じ大きさあるいはそれ以上の大きさの平面部を有するのが望ましい。この金属部材３１は、保持部材３０にインサート成型されている。また、金属部材３１には、フレーム２１の位置決めを行うための凹部３１ａが複数個設けられており、フレーム２１の突起２１ａを凹部３１ａに嵌めることによりフレーム２１の位置決めが行われるようになっている。
【００１７】
保持部材３０は、液晶表示面２０ｂと略直交する方向に設けられている壁部３０ｂを有しており、壁部３０ｂの内側に液晶ユニット２２や金属部材３１等を収納している。一辺の壁部３０ｂの下部は切欠かれて挿通孔３２が設けられており、液晶本体２０の端面から引き出されている可撓性基板２０ａが挿通可能となっている。なお、保持部材３０は、通常、例えば携帯端末の矩形枠状の下筐体４０等に取り付けられるようになっている。
従って、液晶本体２０を保持部材３０に収納する際に、可撓性基板２０ａを挿通孔３２から引き出して、図示省略の回路基板等に接続できるようになっている。
【００１８】
以上説明した液晶表示装置１０によれば、略板状の液晶本体２０を収納する保持部材３０に、液晶本体２０に沿って金属部材３１が設けられているので、樹脂により保護を強くする場合に比べて、軽量化を図るとともにより強い衝撃に対しても液晶本体２０を保護できる。特に、液晶ユニット２２と密着するようにして,液晶表示面２０ｂと略並行板状の金属部材３１が設けられているので、液晶本体２０の表示面２０ｂと平行な側面方向の外力のみならず、万が一保持部材３０の平面部３０ａに直交する方向の変形や破損によって液晶本体２０に作用する衝撃から、液晶本体２０を保護できる。
【００１９】
なお、以上の説明では、フレーム２１ａと金属部材３１を突起２１ａと凹部３１ａを嵌めることにより位置決めを行う例を示したが、両面テープ等により位置決め固定しても良い。
また、以上の説明では、液晶本体２０をフレーム２１ａに固定する構成を示したが、フレーム２１ａを使用せず、保持部材３０に対して例えば両面テープで固定する構成としても良い。この場合、部品点数が削減できる。
なお、以上の説明では、板状の金属部材３１を用いた場合について説明したが、その他の図３に示すように、枠状の金属部材３１Ａを用いることもできる。この場合には、保持部材３０に設けられている挿通孔３２に対応して可撓性基板２０ａ引き出しようの切欠き３３を設けるようにする。
また，平面部３１ｂに，リブ等の形状が形成されていても良い。
また、金属部材３１としてステンレス鋼を用いた場合について説明したが、この他、アルミニウム合金、チタン合金、マグネシウム合金等の軽金属を用いることもできる。
【００２０】
次に、本発明の第２実施形態の液晶表示装置を説明する。
図４は、第２の実施形態にかかる液晶表示装置１１を示す分解斜視図である。なお、前述した第１の実施形態と共通する部位には同じ符号を付して、重複する説明を省略することとする。
【００２１】
図４に示すように、この液晶表示装置１１では、板状の金属部材３１は保持部材３０とは別個に形成されており、保持部材３０の壁部３０ｂの内面に設けられて端部が挿通孔３２に開口する溝３４に沿ってスライド可能となっている。金属部材３１は板状の部材であり、その大きさは、液晶ユニット２２と同じか、あるいは液晶ユニット２２よりも大き目となっている。また、ここでは保持部材３０は全体矩形枠状をしており、底部は設けられていない。なお、フレーム２１は、底面に設けられている位置決め用の突起２１ａを、金属部材３１に設けられている位置決め用の凹部３１ａに嵌合させることにより、位置決めおよび固定がなされている。
【００２２】
このように構成することにより、強い衝撃に対して金属部材３１が抵抗するので、液晶本体２０を保護できる。特に、保持部材３０の底部（平面部３０ａ）に沿って板状の金属部材３１が設けられているので、液晶本体２０の表示面２０ｂと平行な側面方向の外力のみならず、万が一保持部材３０の平面部３０ａに直交する方向の変形や破損によって液晶本体２０に作用する衝撃から、液晶本体２０を保護できる。
また、金属部材３１を板状とし、金属部材３１を保持部材に対してスライドにより取り付けることができる構成としたので、液晶ユニット２３を固定した金属部材３１を保持部材３０に対して容易に取り付けることができる。この際、液晶本体２０に設けられている可撓性基板２０ａは、自動的に挿通孔３２から引き出された形となる。このため、金属部材３１の取り付けおよび液晶本体２０の可撓性基板２０ａの取り付けが容易になり、組立の自動化も可能になる。
【産業上の利用可能性】
【００２３】
以上のように、本発明は、略板状の液晶本体を収納する有底枠状の保持部材に、液晶本体に沿って金属部材を設けることにより、樹脂により保護を強くする場合に比べて、薄型化を図るとともにより強い衝撃に対しても液晶本体を保護できるという効果を有し、携帯電話等の携帯端末として有用である。
【図面の簡単な説明】
【００２４】
【図１】本発明の第１実施形態にかかる液晶表示装置を示す断面図
【図２】本発明の第１実施形態にかかる液晶表示装置の分解斜視図
【図３】金属部材の別の形状を示す斜視図
【図４】第２の実施形態にかかる液晶表示装置を示す分解斜視図
【図５】従来の液晶表示装置の断面図
【符号の説明】
【００２５】
１０    液晶表示装置（第１実施形態）
１１    液晶表示装置（第２実施形態）
２０    液晶本体
２０ａ  可撓性基板
２０ｂ  表示面
２１    フレーム
２１ａ  位置決め用突起
２２    液晶ユニット
２３    保護パネル
３０    保持部材
３０ｂ  壁部
３１    金属部材
３１ａ  位置決め用凹部
３１ｂ  平面部
３１Ａ  金属部材
３２    挿通孔
３３    切欠き
３４    溝
４０    下筐体
１００  液晶表示装置
１０１  アッパーカバー
１０２  ロアカバー
１０３  フレーム
１０４  緩衝体
１０５  タッチパネル
１０６  液晶ディスクプレイパネル
１０７  回路基板
【図１】
2006011206.tif 000003
【図２】
2006011206.tif 000004
【図３】
2006011206.tif 000005
【図４】
2006011206.tif 000006
【図５】
2006011206.tif 000007